(57)【要約】【課題】スクリーンマスクに傾きがある場合であっても残留半田の除去性能を十分に発揮することができるスクリーンマスク清掃装置を提供する。【解決手段】同一方向に延伸された一対の支持体４によって両側部を支持されたスクリーンマスク１の裏面に残留した半田を除去するスクリーンマスク清掃装置１０において、一対の支持体４の延伸方向に移動してスクリーンマスク１の裏面に残留した半田を転写させて除去するクリーニングシートをスクリーンマスク１の裏面に押し付けるクリーニングヘッド１２を、一対の支持体４の延伸方向を軸方向とする軸１７周りに回動可能に支持した。【選択図】図１
2010069647.tif 000002
【特許請求の範囲】
【請求項１】
同一方向に延伸された一対の支持体によって両側部を支持されたスクリーンマスクの裏面に残留した半田を除去するスクリーンマスク清掃装置であって、
前記一対の支持体の延伸方向に移動してスクリーンマスクの裏面に残留した半田を転写させて除去する半田転写媒体と、
前記半田転写媒体をスクリーンマスクの裏面に押し付ける手段と、
前記半田転写媒体を前記一対の支持体の延伸方向を軸方向とする軸周りに回動可能に支持する手段と、
を備えたことを特徴とするスクリーンマスク清掃装置。
【発明の詳細な説明】
【技術分野】
【０００１】
本発明は、スクリーン印刷装置において使用するスクリーンマスクの清掃装置に関するものである。
【背景技術】
【０００２】
スクリーンマスクの清掃装置として、クリーニングシートをスクリーンマスクの裏面に摺接させ、裏面に残留したままとなっている半田をクリーニングシートに転写させて除去する清掃装置がある（特許文献１参照）。
【特許文献１】特開平１０−２９６９６０号公報
【発明の開示】
【発明が解決しようとする課題】
【０００３】
クリーニングシートはスクリーンマスクが水平であれば均一な圧力で接触することができるので良好な半田除去性能を発揮するが、スクリーンマスクに傾き生じていると接触圧にばらつきが生じ、十分な除去性能が発揮できないことがある。
【０００４】
本発明は、スクリーンマスクに傾きがある場合であっても残留半田の除去性能を十分に発揮することができるスクリーンマスク清掃装置を提供することを目的とする。
【課題を解決するための手段】
【０００５】
本発明のスクリーンマスク清掃装置は、同一方向に延伸された一対の支持体によって両側部を支持されたスクリーンマスクの裏面に残留した半田を除去するスクリーンマスク清掃装置であって、前記一対の支持体の延伸方向に移動してスクリーンマスクの裏面に残留した半田を転写させて除去する半田転写媒体と、前記半田転写媒体をスクリーンマスクの裏面に押し付ける手段と、前記半田転写媒体を前記一対の支持体の延伸方向を軸方向とする軸周りに回動可能に支持する手段とを備えた。
【発明の効果】
【０００６】
本発明によれば、スクリーンマスクに傾きが生じている場合であっても、水平なスクリーンマスクの場合と同様の残留半田の除去性能を発揮することができる。
【発明を実施するための最良の形態】
【０００７】
本発明の実施の形態について図面を参照して説明する。図１は本発明の実施の形態のスクリーンマスク清掃装置と一対の支持体に両側部を支持されたスクリーンマスクを示す正面図、図２は本発明の実施の形態のスクリーンマスク清掃装置と一対の支持体に両側部を支持されたスクリーンマスクを示す平面図、図３は本発明の実施の形態のスクリーンマスク清掃装置と一対の支持体に両側部を支持されたスクリーンマスクを示す側面図である。
【０００８】
スクリーンマスク１は厚さが数十ミクロン〜数百ミクロン程度の略正方形の板状部材である。スクリーンマスク１の略中央は複数の開孔２が形成された印刷領域３となっている。スクリーンマスク１は対向する両側部を一対の支持体４によって支えられている。支持体４はスクリーンマスク１の側面と対向する鉛直部４ａと裏面と対向する水平部４ｂで構成された断面Ｌ型の部材であり、スクリーンマスク１の側辺より長くなるように延伸され、スクリーンマスク１の側部を端から端まで完全に支持できるように構成されている（図２参照）。一対の支持体４は同じ水平面内で平行に配置されており、スクリーンマスク１は初期状態において水平に支持される。
【０００９】
スクリーン清掃装置１０は半田転写媒体を用いてスクリーンマスク１の裏面に残留している半田を除去するための装置である。スクリーンマスク１の裏面は開孔２の縁と基板の隙間から食み出した半田や基板に転写されなかった半田が残留していることがあるので印刷後に清掃を行う必要がある。スクリーン清掃装置１０は半田印刷後にスクリーンマスク１の下側に移動して裏面の清掃を行う。
【００１０】
スクリーン清掃装置１０は、クリーニングシート１１と、クリーニングヘッド１２と、クリーニングヘッド１２を鉛直方向に移動させるピストンロッド１３ａおよびシリンダ１３ｂで構成されている。クリーニングシート１１は、スクリーンマスク１の裏面に残留している半田を転写させて除去するための媒体であり、紙のほかに布等を用いることができる。クリーニングシート１１はクリーニングヘッド１２によってスクリーンマスク１の裏面に押し付けられた状態で移動しながら残留半田を転写していく。クリーニングヘッド１２の上側には吸引孔１４が形成されており、半田はクリーニングシート１１に一旦転写された後にクリーニングヘッド１２の内部に吸引され、スクリーンマスク１から完全に除去される。
【００１１】
クリーニングヘッド１２はスクリーンマスク１の印刷領域３の幅ａより長い幅ｂを有し、支持体４の延伸方向と同方向に一回移動するだけで印刷領域３の全体を清掃することができるようになっている。
【００１２】
クリーニングヘッド１２の両側には供給ロール１５と巻き取りロール１６が配置されている。供給ロール１５には使用前のクリーニングシート１１が巻かれた状態で収納されている。クリーニングシート１１はクリーニングヘッド１２の上側を通って反対側の巻き取りロール１６に巻き取られる。クリーニングシート１１はクリーニングヘッド１２の上側にある部分でスクリーンマスク１の清掃を行い、清掃に使用された部分は巻き取りロール１６側に巻き取られ、使用前のクリーニングシート１１が新たにクリーニングヘッド１２の上側に移動してくるようになっている。
【００１３】
ピストンロッド１３ａはシリンダ１３ｂの駆動によって鉛直方向に伸縮する。ピストンロッド１３ａの先端（上端）にはクリーニングヘッド１２が連結されている。スクリーンマスク１の清掃時はピストンロッド１３ａを伸ばし、クリーニングヘッド１２の上側にあるクリーニングシート１１をスクリーンマスク１の裏面に押し付け、クリーニングシート１１とスクリーンマスク１の裏面との間に適度な接触圧を付与する。
【００１４】
クリーニングヘッド１２は、支持体４の延伸方向と同方向、すなわちクリーニングヘッド１２の移動方向と同方向に枢支する軸１７によってピストンロッド１３ａの先端と連結されており、移動方向と直交する平面内で回動できるようになっている。クリーニングヘッド１２はスクリーンマスク１の裏面に押し付けられていないときには軸１７を挟んで両側に配置された２つのばね１８によって水平に保たれている。
【００１５】
クリーニングヘッド１２はスクリーンマスク１が略水平に支持されている場合であれば、ほとんど姿勢を変えることなく清掃を行うことができる。仮にスクリーンマスク１に傾きが生じている場合であっても移動方向と直交する方向における傾きであれば、軸１７を中心として回動することでスクリーンマスク１の傾きに追随して姿勢を変え、スクリーンマスク１に裏面に略均一な圧力でクリーニングシート１１を押し付けることができる。またスクリーンマスク１の傾きが移動方向と同一方向における傾きであれば、ピストンロッド１３ａの伸縮によって対応することができる。
【００１６】
従って、スクリーンマスク清掃装置１０によれば、スクリーンマスク１に傾きが生じている場合であっても、軸１７を中心とした回動による姿勢変更とピストンロッド１３ａの
伸縮による接触圧の調整を組み合わせることで、水平なスクリーンマスク１の場合と同様の残留半田の除去性能を発揮することができる。
【産業上の利用可能性】
【００１７】
本発明はスクリーン印刷装置に好適である。
【図面の簡単な説明】
【００１８】
【図１】本発明の実施の形態のスクリーンマスク清掃装置と一対の支持体に両側部を支持されたスクリーンマスクを示す正面図
【図２】本発明の実施の形態のスクリーンマスク清掃装置と一対の支持体に両側部を支持されたスクリーンマスクを示す平面図
【図３】本発明の実施の形態のスクリーンマスク清掃装置と一対の支持体に両側部を支持されたスクリーンマスクを示す側面図
【符号の説明】
【００１９】
１  スクリーンマスク
４  支持体
１０  スクリーン清掃装置
１１  クリーニングシート
１２  クリーニングヘッド
１３ａ  ピストンロッド
１３ｂ  シリンダ
１７  軸
【図１】
2010069647.tif 000003
【図２】
2010069647.tif 000004
【図３】
2010069647.tif 000005